(57)【要約】      （修正有）【課題】携帯電話機やデジタルカメラ等の電子機器には、防水機能を有するものが増え、電子機器の筐体を構成するケースにおいて回路基板等が配置される領域の周囲に溝部を形成し、パッキンを溝部に圧入することで、隙間を塞ぐ、デジタルカメラ等の電子機器を内部に収容した状態で通常時と同様に電子機器を操作することができる防水ケースにおいても、パッキンをケースの溝部に圧入して防水性を確保する場合がある。凹部が形成されたパッキンを溝部に圧入する防水構造において、パッキンのねじれに起因する浸水を抑制すること。【解決手段】パッキン４０は、第１面４０ａが、リアケースに形成された溝部の底面に当接するように溝部に圧入され、第１面４０ａにパッキン４０の延在方向に沿って延在される凹部４０ｂが形成されると共に、凹部４０ｂを少なくとも一カ所で分断する壁部４１を有する。【選択図】図３
2012007697.tif 000002
【特許請求の範囲】
【請求項１】
第１面がケースに形成された溝部の底面に当接されて前記溝部に圧入されるパッキンであって、
前記第１面に当該パッキンの延在方向に沿って延在される凹部が形成されると共に、前記凹部を前記延在方向において少なくとも一カ所で分断する壁部を有することを特徴とするパッキン。
【請求項２】
請求項１に記載のパッキンと、
前記パッキンが圧入される溝部が形成された第１ケースと、
を有して構成される防水構造。
【請求項３】
第２ケースを有し、
前記第２ケースは、ネジによって前記第１ケースと前記パッキンの圧入方向に連結され、
前記壁部は、前記ネジが螺合されるネジ穴に対応する位置に配設される
請求項２に記載の防水構造。
【請求項４】
第２ケースを有し、
前記第１ケースおよび前記第２ケースの少なくとも一方には、前記第１ケースと前記第２ケースとを前記パッキンの圧入方向に固定する係合部が設けられ、
前記第１ケースおよび前記第２ケースの少なくとも他方には、前記係合部が係合する被係合部が設けられ、
前記壁部は、前記第１ケースに設けられた前記係合部または前記被係合部に対応する位置に配設される
請求項２に記載の防水構造。
【請求項５】
前記第１ケースにおける前記圧入方向に沿う面および前記第２ケースにおける前記圧入方向に沿う面の少なくとも一方に開口部が形成され、
前記凹部は、前記開口部に対応する位置に配設される
請求項３または請求項４に記載の防水構造。
【請求項６】
前記壁部は、前記開口部に対応する位置に配設されない
請求項５に記載の防水構造。
【請求項７】
前記溝部は、第１湾曲部および第２湾曲部ならびに前記第１湾曲部と前記第２湾曲部との間に位置する直線部を有し、
前記壁部は、前記直線部に対応する位置に配設される
請求項１乃至請求項６のいずれか一項に記載の防水構造。
【請求項８】
前記第１湾曲部は、前記直線部に対して前記直線部を境界とする一方側に湾曲すると共に、前記第２湾曲部は、前記直線部に対して前記直線部を境界とする他方側に湾曲する
請求項７に記載の防水構造。
【請求項９】
前記溝部に圧入された状態における前記パッキンの幅は、前記溝部の幅よりも狭い
請求項２乃至請求項８のいずれか一項に記載の防水構造。
【発明の詳細な説明】
【技術分野】
【０００１】
本発明は、防水用のパッキン及び防水構造に関する。
【背景技術】
【０００２】
近年、携帯電話機やデジタルカメラ等の電子機器には、防水機能を有するものが増えてきている。防水性を確保するため、例えば、電子機器の筐体を構成するケースにおいて回路基板等が配置される領域の周囲に溝部を形成し、パッキンを溝部に圧入することで、筐体外部と筐体内部との隙間を塞ぐ構造が用いられる。
【０００３】
一方で、上記のデジタルカメラ等の電子機器を内部に収容した状態において通常時と同様に電子機器を操作することができる防水ケースが知られている。このような防水ケースにおいても、パッキンをケースの溝部に圧入して防水性を確保する構造が用いられる場合がある。
【０００４】
ここで、溝部に対するパッキンの挿入性を向上しつつパッキンと溝部との面圧を確保するために、パッキンの第１面に、当該パッキンの延在方向に沿って延在される凹部を形成する技術が知られている（特許文献１）。
【先行技術文献】
【特許文献】
【０００５】
【特許文献１】特開２０１０−８１５１７号公報
【発明の概要】
【発明が解決しようとする課題】
【０００６】
しかし、上記のようなパッキンを溝部に圧入する構造においては、圧入する際にパッキンにねじれが生じる場合がある。ここで、特許文献１のようにパッキンの第１面に当該パッキンの延在方向に沿って延在される凹部を形成した場合、ねじれの向きによっては、凹部を通ってケース内部に水が浸入することが考えられる。
【０００７】
本発明は上記の事情に鑑みてなされたもので、第１面に当該パッキンの延在方向に沿って延在される凹部が形成されたパッキンを、第１面が溝部の底面に当接するように溝部に圧入した状態において、パッキンにねじれが生じた場合であっても凹部を通ってケース内へ水が浸入することを抑制できる防水構造を提供することを目的とする。
【課題を解決するための手段】
【０００８】
上記課題を解決するために、本発明に係るパッキンは、第１面がケースに形成された溝部の底面に当接されて前記溝部に圧入されるパッキンであって、前記第１面に当該パッキンの延在方向に沿って延在される凹部が形成されると共に、前記凹部を前記延在方向において少なくとも一カ所で分断する壁部を有する。
【０００９】
また、本発明に係る防水構造は、請求項１に記載のパッキンと、前記パッキンが圧入される溝部が形成された第１ケースと、を有して構成される。
【００１０】
また、前記防水構造においては、第２ケースを有し、前記第２ケースは、ネジによって前記第１ケースと前記パッキンの圧入方向に連結され、前記壁部は、前記ネジが螺合されるネジ穴に対応する位置に配設されることが好ましい。
【００１１】
また、前記防水構造においては、第２ケースを有し、前記第１ケースおよび前記第２ケースの少なくとも一方には、前記第１ケースと前記第２ケースとを前記パッキンの圧入方向に固定する係合部が設けられ、前記第１ケースおよび前記第２ケースの少なくとも他方には、前記係合部が係合する被係合部が設けられ、前記壁部は、前記第１ケースに設けられた前記係合部または前記被係合部に対応する位置に配設されることが好ましい。
【００１２】
また、前記防水構造においては、前記第１ケースにおける前記圧入方向に沿う面および前記第２ケースにおける前記圧入方向に沿う面の少なくとも一方に開口部が形成され、前記凹部は、前記開口部に対応する位置に配設されることが好ましい。
【００１３】
また、前記防水構造においては、前記壁部は、前記開口部に対応する位置に配設されないことが好ましい。
【００１４】
また、前記防水構造においては、前記溝部は、第１湾曲部および第２湾曲部ならびに前記第１湾曲部と前記第２湾曲部との間に位置する直線部を有し、前記壁部は、前記直線部に対応する位置に配設されることが好ましい。
【００１５】
また、前記防水構造は、前記第１湾曲部は、前記直線部に対して前記直線部を境界とする一方側に湾曲すると共に、前記第２湾曲部は、前記直線部に対して前記直線部を境界とする他方側に湾曲している場合に有効である。
【００１６】
また、前記防水構造は、前記溝部に圧入された状態における前記パッキンの幅は、前記溝部の幅よりも狭い場合に有効である。
【発明の効果】
【００１７】
本発明によれば、第１面に当該パッキンの延在方向に沿って延在される凹部が形成されたパッキンを、第１面が溝部の底面に当接するように溝部に圧入した状態において、パッキンにねじれが生じた場合であっても凹部を通ってケース内へ水が浸入することを抑制できる。
【図面の簡単な説明】
【００１８】
【図１】携帯電話機１を操作部側筐体２と表示部側筐体３とを開いた状態で示す外観斜視図である。
【図２】フロントケース２ａおよびリアケース２ｂの分解斜視図である。
【図３】（ａ）パッキン４０の外観斜視図である。（ｂ）パッキン４０の断面斜視図である。
【図４】パッキン４０がリアケース２ｂの溝部２５に挿入された様子を示す断面図である。
【図５】リアケース２ｂの溝部２５に挿入されたパッキン４０の一部を抜粋して示す平面図である。
【発明を実施するための形態】
【００１９】
以下、図面を参照して本発明を実施するための最良の形態を説明する。まず、図１により、電子機器としての携帯電話機１における基本構造を説明する。図１は、図１は、携帯電話機１を操作部側筐体２と表示部側筐体３とを開いた状態で示す外観斜視図である。
【００２０】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力される音声入力部１２とがそれぞれ露出するように構成される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２３】
音声入力部１２は、操作部側筐体２の長手方向における連結部４側と反対の外端部側に配置される。つまり、音声入力部１２は、携帯電話機１が開状態において一方の外端部側に配置される。
【００２４】
操作部側筐体２における一方側の側面２ｓには、外部機器（例えば、ホスト装置）と通信を行うためのインターフェース（図示せず）が配置される。操作部側筐体２の他方側の側面２ｓには、所定の機能が割り当てられているサイドキーと、外部メモリの挿入及び取り出しが行われるインターフェース（図示せず）とが配置される。インターフェースは、キャップにより覆われている。各インターフェースは、使用時にはリアケースに形成された開口部１６を介して操作部側筐体２の外部に露出され、不使用時にはキャップにより覆われる。
【００２５】
表示部側筐体３は、外面がフロントパネル３ａと、フロントケース３ｂと、リアケース３ｃと、リアパネル３ｄとにより構成される。表示部側筐体３には、各種情報を表示するための表示部２１と、通話の相手側の音声を出力する音声出力部２２と、が外部に露出するように配置される。
【００２６】
表示部２１は、液晶パネルと、この液晶パネルを駆動する駆動回路と、この液晶パネルの背面側から光を照射するバックライト等の光源部とから構成される。
【００２７】
次いで、図２により、フロントケース２ａおよびリアケース２ｂの詳細な構造について説明する。図２は、フロントケース２ａおよびリアケース２ｂの分解斜視図である。
【００２８】
図２に示すように、フロントケース２ａとリアケース２ｂとは、互いの凹状の内側面が向き合うように配置され、互いの外周縁が重なり合うようにして結合される。また、フロントケース２ａとリアケース２ｂとの間（操作部側筐体２の内部）には、不図示のキー構造部、キー基板、ケース体、回路基板、アンテナ部等が挟まれるようにして内蔵（配置）される。
【００２９】
フロントケース２ａには、係合穴２３ｂ（不図示）が形成されている。この係合穴２３ｂには、後述するリアケース２ｂの側面２ｓに形成される係合爪２３ａが係合し、フロントケース２ａとリアケース２ｂを固定する。すなわち、フロントケース２ａとリアケース２ｂとは、係合爪２３ａおよび係合穴２３ｂによって厚さ方向に固定される。
【００３０】
リアケース２ｂの側面２ｓには、前述したフロントケース２ａに形成される係合穴２３ｂに係合する係合爪２３ａが設けられている。係合爪２３ａは、側面２ｓにおいて、開口部１６が形成されない領域に複数設けられている。
【００３１】
また、リアケース２ｂには、ネジ穴２４が形成されている。ネジ穴２４には、フロントケース２ａとリアケース２ｂとを固定するためのネジ（不図示）が螺合される。すなわち、フロントケース２ａとリアケース２ｂとは、ネジおよびネジ穴２４によって厚さ方向に固定される。
【００３２】
リアケース２ｂには、その外周部に略沿う形で溝部２５が形成されている。溝部２５は、底面２５ａと側面２５ｂを有している。溝部２５には、後述のパッキン４０が、その第１面４０ａが底面２５ａに当接するように圧入される。
【００３３】
次に、図３（ａ）（ｂ）により、本発明の実施形態に係るパッキン４０について説明する。図３（ａ）は、パッキン４０の外観斜視図である。図３（ｂ）は、パッキン４０の一部分の断面斜視図である。
【００３４】
図３（ａ）に示すように、パッキン４０は、リアケース２ｂに形成された溝部２５に沿うように形成される。パッキン４０は、例えば、ゴム等の水を透過させない弾性部材により構成されている。
【００３５】
図３（ｂ）に示すように、パッキン４０は、第１面４０ａと反対側に凸部４０ｃを有する。凸部４０ｃは、パッキン４０が溝部２５に圧入される際にフロントケース２ａに押圧される。
【００３６】
パッキン４０は、第１面４０ａに、パッキン４０の延在方向に沿って延在される凹部４０ｂが形成されると共に、凹部４０ｂを少なくとも一カ所で分断する壁部４１を有する。壁部４１は、第１面４０ａにおいて凹部４０ｂが形成されない区間である。壁部４１は、凹部４０ｂの延在方向と所定の角度で交差して設けられる。
【００３７】
次に、図４により、パッキン４０が溝部２５に圧入されたときの作用効果について説明する。図４は、パッキン４０がリアケース２ｂの溝部２５に圧入された様子を示す断面図である。
【００３８】
図４に示すように、パッキン４０は、係合爪２３ａおよび係合穴２３ｂならびにネジおよびネジ穴２４によってフロントケース２ａおよびリアケース２ｂが互いに固定されるのに伴い、第１面４０ａが、リアケース２ｂに形成された溝部２５の底面２５ａに当接するように溝部２５に圧入される。
【００３９】
溝部２５に圧入された状態におけるパッキン４０の幅は、溝部２５の幅よりも狭くなっている。
【００４０】
当該構成により、パッキン４０の第１面４０ａに形成された凹部４０ｂを少なくとも一カ所で分断する壁部４１が設けられているので、パッキン４０がねじれた場合であっても、壁部４１における第１面４０ａが溝部２５の底面２５ａと当接し、凹部４０ｂを通って水が溝部２５の内側に侵入することを抑制できる。
【００４１】
特に、溝部２５に圧入された状態においてパッキン４０の幅が溝部２５の幅よりも狭い場合、すなわち、パッキン４０がねじれて凹部４０ｂに水が浸入する可能性が高くなる構造において本発明は有効である。
【００４２】
ここで、リアケース２ｂとパッキン４０における凹部４０ｂおよび壁部４１との好適な配置関係について説明する。
【００４３】
パッキン４０における壁部４１は、凹部４０ｂに比べて圧入方向の厚さが厚くなっている。この厚さの違いに起因して、パッキン４０がフロントケース２ａにより溝部２５に圧入された際、壁部４１における反発力は、凹部４０ｂにおける反発力と比較して大きくなる。すなわち、壁部４１においては、フロントケース２ａとリアケース２ｂとを離間させる方向へ相対的に大きな反発力が作用する。したがって、壁部４１は、溝部２５においてフロントケース２ａとリアケース２ｂとを固定している係合爪２３ａまたはネジ穴２４に対応する位置に設けられることが好ましい。
【００４４】
また、リアケース２ｂにおいて前述の開口部１６が形成されている部分は、他の部分に比して強度が劣っている。したがって、溝部２５において開口部１６に対応する部分には、パッキン４０の凹部４０ｂが配置されることが好ましい。さらに、開口部１６に対応する部分には、壁部４１が配置されないことが好ましい。
【００４５】
次に、図５を用いて、溝部２５の形状とパッキン４０における凹部４０ｂおよび壁部４１との好適な配置関係について説明する。図５は、リアケース２ｂの溝部２５に挿入されたパッキン４０の一部を抜粋して示す平面図である。
【００４６】
図５に示すように、リアケース２ｂに形成された溝部２５は、直線部２５０と湾曲部２５１ａ、２５１ｂとを有する。湾曲部２５１ａは、直線部２５０に対して直線部２５０を境界とする一方側に湾曲している。湾曲部２５１ｂは、直線部２５０に対して直線部２５０を境界とする他方側に湾曲している。このように湾曲する溝部２５にパッキン４０を挿入する場合には、パッキン４０にねじれが生じて凹部４０ｂを通って水が浸入する可能性が高くなるため、湾曲部２５１ａと湾曲部２５１ｂとの間の直線部２５０に対応する位置に壁部４１を設けることが好ましい。当該構成により、浸水の可能性が高い箇所においての防水性を確保することができる。
【００４７】
本実施形態によれば、パッキン４０の第１面４０ａに形成された凹部４０ｂを少なくとも一カ所で分断する壁部４１が設けられているので、パッキン４０がねじれた場合であっても、凹部４０ｂを通って水が溝部２５の内側に侵入することを抑制できる。
【００４８】
以上、好適な実施形態について説明したが、本発明は上述した実施形態に限定されることなく種々の形態で実施することができる。例えば、本実施形態においては、防水ケースとして携帯電話機の筐体について説明しているが、本発明はこれに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、等のその他の携帯電子機器の筐体であってもよい。また、電子機器等を収納するケースであってもよい。
【００４９】
また、本実施形態においては、溝部はリアケースの外周部を環状に取り巻くように形成されているが、本発明はこれに限定されず、直線状の溝部であってもよい。また、リアケースでなくフロントケースに溝部が形成される構成であってもよい。
【００５０】
また、本実施形態においては、フロントケースによりパッキンが溝部に圧入されるが、本発明はこれに限定されず、例えば蓋体と一体形成されたパッキンが溝部に圧入される構成であってもよい。
【００５１】
また、本実施形態においては、溝部に圧入された状態において、パッキンの幅が溝部の幅よりも狭くなっているが、本発明はこれに限定されず、圧入された状態においてパッキンの幅と溝部の幅とが略同じであってもよい。
【００５２】
また、本実施形態においては、リアケースに係合爪が設けられ、フロントケースに係合穴が形成されているが、本発明はこれに限定されず、リアケースに係合穴が形成され、フロントケースに係合爪が設けられる構成であってもよい。また、リアケースとフロントケースの両方に係合爪および係合穴が設けられる構成であってもよい。
【符号の説明】
【００５３】
１            携帯電話機
２            操作部側筐体
２ａ          フロントケース（第２ケース）
２ｂ          リアケース（第１ケース）
３            表示部側筐体
１６          開口部
２３ａ        係合爪（係合部）
２３ｂ        係合穴（被係合部）
２４          ネジ穴
２５          溝部
２５ａ        底面
２５ｂ        側面
４０          パッキン
４０ａ        第１面
４０ｂ        凹部
４１          壁部
２５０        直線部
２５１ａ      湾曲部（第１湾曲部）
２５１ｂ      湾曲部（第２湾曲部）
【図１】
2012007697.tif 000003
【図４】
2012007697.tif 000004
【図５】
2012007697.tif 000005
【図２】
2012007697.tif 000006
【図３】
2012007697.tif 000007